(57)【要約】【課題】感光体ドラム１０８における転写領域の幅方向のほぼ全領域にわたって均一な利用を可能にすること。【解決手段】ロール紙２１２、２２２、３０２、４０２がセットされるロール紙収容ユニット２００、３００、４００と、上記各ロール紙から繰り出された用紙を用紙搬送路１２２に沿って搬送する給紙ローラ１２６、１３０、１３４、用紙搬送ローラ１３６と、カッタ１３８と、画像形成手段１０６とを備えた複写機１００。画像形成手段１０６の転写領域を通過する用紙の搬送幅方向サイズに対応して転写領域における該搬送幅方向の搬送基準位置を複数個設定し、上記各ロール紙は該搬送基準位置に対応して各ロール紙収容ユニットにセットされる。【選択図】        図２
2004351753.tif 000002
【特許請求の範囲】
【請求項１】
ロール紙がセットされる複数のロール紙収容ユニットと、ロール紙から繰り出された用紙を用紙搬送路に沿って搬送する搬送手段と、搬送される用紙を切断する切断手段と、搬送される用紙が転写領域を通過する間に画像を転写する画像形成手段とを備えた画像形成装置において、
転写領域を通過する用紙の搬送幅方向サイズに対応して転写領域における該搬送幅方向の搬送基準位置を複数個設定し、ロール紙は該搬送基準位置に対応してロール紙収容ユニットにセットされる、
ことを特徴とする画像形成装置。
【請求項２】
最大幅を有するロール紙よりも小さな幅を有する複数のロール紙の該搬送基準位置は複数箇所に設定され、該小さな幅を有するロール紙のうち２個のロール紙は相互に同軸上に並列して配設される、請求項１記載の画像形成装置。
【請求項３】
該小さな幅を有する２個のロール紙は相互に並列給紙可能である、請求項２記載の画像形成装置。
【請求項４】
ロール紙収容ユニットは、装置本体に対し引き出し可能に装着される収容枠体と、収容枠体に相互に同軸上に並列して配設されかつ相互に独立して回転自在に配設された第１及び第２のロール紙ユニットと、第１及び第２のロール紙ユニットを駆動する駆動機構とを備え、収容枠体が装置本体に装着されると、駆動機構が装置本体に配設された正逆回転可能な駆動源に駆動連結されて、第１及び第２のロール紙ユニットは相互に独立して回転駆動される、請求項３記載の画像形成装置。
【請求項５】
第１のロール紙ユニットは、収容枠体に回転自在に支持されかつ軸方向両端部に第１の被駆動ギヤがそれぞれ一体に配設された第１のロール本体と、第１のロール本体に巻かれた第１のロール紙とを備え、第２のロール紙ユニットは、収容枠体に回転自在に支持されかつ軸方向両端部に第２の被駆動ギヤがそれぞれ一体に配設された第２のロール本体と、第２のロール本体に巻かれた第２のロール紙とを備え、駆動機構は、収容枠体に回転自在に支持された第１及び第２の駆動軸を備え、第１の駆動軸には、第１の入力ギヤが相対回転自在に配設されると共に、第１の被駆動ギヤの各々にそれぞれ第１の中間ギヤを介して噛み合わされた第１の駆動ギヤが一体に配設され、第２の駆動軸には、第２の入力ギヤが相対回転自在に配設されると共に、第２の被駆動ギヤの各々にそれぞれ第２の中間ギヤを介して噛み合わされた第２の駆動ギヤが一体に配設され、第１の入力ギヤと第１の駆動軸との間には第１の電磁クラッチ手段が配設され、第２の入力ギヤと第２の駆動軸との間には第２の電磁クラッチ手段が配設され、収容枠体には、第１及び第２の入力ギヤに噛み合わされた１個の主入力ギヤが回転自在に支持され、装置本体には該駆動源に駆動連結された出力ギヤが配設され、収容枠体が装置本体に装着されると、主入力ギヤが出力ギヤに噛み合わされる、請求項４記載の画像形成装置。
【請求項６】
最大幅を有するロール紙よりも小さな幅を有する複数のロール紙の該搬送基準位置は複数箇所に設定され、該小さな幅を有するロール紙のうち２個のロール紙は、相互に異なった軸上に配設される、請求項１記載の画像形成装置。
【請求項７】
該小さな幅を有する２個のロール紙は相互に独立して給紙可能である、請求項３又は請求項６記載の画像形成装置。
【請求項８】
該小さな幅を有する２個のロール紙から繰り出された用紙が転写領域を通過するときに相互に重合しないよう、該小さな幅を有する２個のロール紙のセット位置が規定される、請求項２〜７のいずれか１項に記載の画像形成装置。
【請求項９】
該搬送基準位置は、転写領域における該搬送幅方向の中心を通って用紙の搬送方向に延在する中心線からなる第１の搬送基準位置と、該中心線によって該搬送幅方向に二分される二つの領域のうちの片方の領域における該搬送幅方向の中間を通って用紙の搬送方向に延在する直線からなる第２の該搬送基準位置と、該中心線によって該搬送幅方向に二分される二つの領域のうちの他方の領域における該搬送幅方向の中間を通って用紙の搬送方向に延在する直線からなる第３の該搬送基準位置とからなり、最大幅を有するロール紙はその幅方向の中心位置が第１の搬送基準位置に対応するようロール紙収容ユニットにセットされ、該小さな幅を有する２個のロール紙は各々の幅方向の中心位置がそれぞれ第２及び第３の搬送基準位置に対応するようロール紙収容ユニットにセットされる、請求項２〜請求項７のいずれか１項に記載の画像形成装置。
【請求項１０】
該搬送基準位置は、転写領域における該搬送幅方向の中心を通って用紙の搬送方向に延在する中心線からなる第１の搬送基準位置と、該中心線によって該搬送幅方向に二分される二つの領域のうちの片方の領域における該搬送幅方向の中心を通って用紙の搬送方向に延在する中心線からなる第２の該搬送基準位置と、該中心線によって該搬送幅方向に二分される二つの領域のうちの他方の領域における該搬送幅方向の中心を通って用紙の搬送方向に延在する中心線からなる第３の該搬送基準位置とからなり、最大幅を有するロール紙はその幅方向の中心位置が第１の搬送基準位置に対応するようロール紙収容ユニットにセットされ、該小さな幅を有する２個のロール紙は各々の幅方向の中心位置がそれぞれ第２及び第３の搬送基準位置に対応するようロール紙収容ユニットにセットされる、請求項６記載の画像形成装置。
【発明の詳細な説明】
【０００１】
【発明の属する技術分野】
本発明は、大サイズの用紙、例えばＪＩＳのＡ０サイズあるいはＡ１サイズなどの用紙に画像を形成することができる静電複写機、プリンタ、ファクシミリなどの画像形成装置に関する。
【０００２】
【従来の技術】
大サイズの用紙に画像を形成することができる画像形成装置においては、ＪＩＳのＡ０あるいはＡ１などの大サイズの用紙のほか、Ａ２〜Ａ４までのサイズの用紙に対しても、画像を形成することができるよう、すなわち複写あるいはプリントなどができるよう構成されることが望まれる。このように多様なサイズの用紙に対し複写あるいはプリントが可能であるとの要件を満足するため、一般的に、ロール本体とロール本体に巻かれたロール紙とからなるロール紙ユニットを、用紙幅別に複数個用意し、画像形成装置本体内にロール紙ユニットを上下方向に複数段、離脱自在にセットしうるよう構成するのが一般的であった（例えば、特許文献１参照）。
【０００３】
上記画像形成装置において、ロール紙から繰り出された用紙が、画像形成手段における転写領域、更に具体的には感光体ドラムにおける転写領域を通過する間にトナー画像が転写され、定着装置を通過する間にトナー画像が定着される。また、ロール紙から繰り出された用紙が用紙搬送路を搬送される途中において、切断手段により、所定のサイズの用紙に対応した搬送方向長さに切断される。トナー画像が定着された用紙は、排出ローラにより画像形成装置の前面に配設されたポケット内に排出される。各サイズのロール紙を備えたロール紙ユニットの幅方向のセット位置、すなわちロール紙の幅方向のセット位置は、ロール紙から繰り出された用紙が搬送されたとき、ロール紙の幅方向の中心が感光体ドラムにおける転写領域幅の中心を通るよう規定されている。したがって、ロール紙から繰り出された用紙が搬送されて転写領域を通過する際、該用紙の幅方向の中心が転写領域の幅方向の中心を通過する。
【０００４】
上記した従来の画像形成装置において、最大幅を有する用紙よりも小さな幅を有する小サイズの用紙に複写あるいはプリントなどを行う場合には、感光体ドラムにおける転写領域の幅方向の中心領域が過剰に利用されるので、作像特性が不安定となり、該中心領域の過度の疲労によって感光体ドラムの寿命が短くなるおそれがあるほか、生産性及び効率が低い、排出された用紙をサイズ別に仕分けることができない、などの問題もある。また、多様なサイズの用紙に対し複写あるいはプリントなどを可能にするためには、ロール紙の交換頻度が高くなり、交換作業が面倒で労力の負担が増大する。
【０００５】
【特許文献１】
特開平０９−０４３９１７号公報
【０００６】
【発明が解決しようとする課題】
本発明の目的は、多様なサイズの用紙に対し複写あるいはプリントが可能であると共に、感光体ドラムにおける転写領域の幅方向のほぼ全領域にわたって均一な利用を可能にして、作像特性を安定して確保し、感光体ドラムの寿命を長くすることを可能にする、新規な画像形成装置を提供することである。
【０００７】
本発明の他の目的は、多様なサイズの用紙に対し複写あるいはプリントが可能であると共に、生産性及び効率の向上を可能にする、新規な画像形成装置を提供することである。
【０００８】
本発明の更に他の目的は、多様なサイズの用紙に対し複写あるいはプリントが可能であると共に、排出された用紙をサイズ別に仕分けることを可能にする、新規な画像形成装置を提供することである。
【０００９】
本発明の更に他の目的は、多様なサイズの用紙に対し複写あるいはプリントが可能であると共に、ロール紙の交換頻度を低減することができ、交換作業を容易にすると共に労力の負担を軽減することができる、新規な画像形成装置を提供することである。
【００１０】
【課題を解決するための手段】
本発明によれば、ロール紙がセットされる複数のロール紙収容ユニットと、ロール紙から繰り出された用紙を用紙搬送路に沿って搬送する搬送手段と、搬送される用紙を切断する切断手段と、搬送される用紙が転写領域を通過する間に画像を転写する画像形成手段とを備えた画像形成装置において、
転写領域を通過する用紙の搬送幅方向サイズに対応して転写領域における該搬送幅方向の搬送基準位置を複数個設定し、ロール紙は該搬送基準位置に対応してロール紙収容ユニットにセットされる、
ことを特徴とする画像形成装置、が提供される。
最大幅を有するロール紙よりも小さな幅を有する複数のロール紙の該搬送基準位置は複数箇所に設定され、該小さな幅を有するロール紙のうち２個のロール紙は相互に同軸上に並列して配設される、ことが好ましい。
該小さな幅を有する２個のロール紙は相互に並列給紙可能である、ことが好ましい。
ロール紙収容ユニットは、装置本体に対し引き出し可能に装着される収容枠体と、収容枠体に相互に同軸上に並列して配設されかつ相互に独立して回転自在に配設された第１及び第２のロール紙ユニットと、第１及び第２のロール紙ユニットを駆動する駆動機構とを備え、収容枠体が装置本体に装着されると、駆動機構が装置本体に配設された正逆回転可能な駆動源に駆動連結されて、第１及び第２のロール紙ユニットは相互に独立して回転駆動される、ことが好ましい。
第１のロール紙ユニットは、収容枠体に回転自在に支持されかつ軸方向両端部に第１の被駆動ギヤがそれぞれ一体に配設された第１のロール本体と、第１のロール本体に巻かれた第１のロール紙とを備え、第２のロール紙ユニットは、収容枠体に回転自在に支持されかつ軸方向両端部に第２の被駆動ギヤがそれぞれ一体に配設された第２のロール本体と、第２のロール本体に巻かれた第２のロール紙とを備え、駆動機構は、収容枠体に回転自在に支持された第１及び第２の駆動軸を備え、第１の駆動軸には、第１の入力ギヤが相対回転自在に配設されると共に、第１の被駆動ギヤの各々にそれぞれ第１の中間ギヤを介して噛み合わされた第１の駆動ギヤが一体に配設され、第２の駆動軸には、第２の入力ギヤが相対回転自在に配設されると共に、第２の被駆動ギヤの各々にそれぞれ第２の中間ギヤを介して噛み合わされた第２の駆動ギヤが一体に配設され、第１の入力ギヤと第１の駆動軸との間には第１の電磁クラッチ手段が配設され、第２の入力ギヤと第２の駆動軸との間には第２の電磁クラッチ手段が配設され、収容枠体には、第１及び第２の入力ギヤに噛み合わされた１個の主入力ギヤが回転自在に支持され、装置本体には該駆動源に駆動連結された出力ギヤが配設され、収容枠体が装置本体に装着されると、主入力ギヤが出力ギヤに噛み合わされる、ことが好ましい。
最大幅を有するロール紙よりも小さな幅を有する複数のロール紙の該搬送基準位置は複数箇所に設定され、該小さな幅を有するロール紙のうち２個のロール紙は、相互に異なった軸上に配設される、ことが好ましい。
該小さな幅を有する２個のロール紙は相互に独立して給紙可能である、ことが好ましい。
該小さな幅を有する２個のロール紙から繰り出された用紙が転写領域を通過するときに相互に重合しないよう、該小さな幅を有する２個のロール紙のセット位置が規定される、ことが好ましい。
該搬送基準位置は、転写領域における該搬送幅方向の中心を通って用紙の搬送方向に延在する中心線からなる第１の搬送基準位置と、該中心線によって該搬送幅方向に二分される二つの領域のうちの片方の領域における該搬送幅方向の中間を通って用紙の搬送方向に延在する直線からなる第２の該搬送基準位置と、該中心線によって該搬送幅方向に二分される二つの領域のうちの他方の領域における該搬送幅方向の中間を通って用紙の搬送方向に延在する直線からなる第３の該搬送基準位置とからなり、最大幅を有するロール紙はその幅方向の中心位置が第１の搬送基準位置に対応するようロール紙収容ユニットにセットされ、該小さな幅を有する２個のロール紙は各々の幅方向の中心位置がそれぞれ第２及び第３の搬送基準位置に対応するようロール紙収容ユニットにセットされる、ことが好ましい。
該搬送基準位置は、転写領域における該搬送幅方向の中心を通って用紙の搬送方向に延在する中心線からなる第１の搬送基準位置と、該中心線によって該搬送幅方向に二分される二つの領域のうちの片方の領域における該搬送幅方向の中心を通って用紙の搬送方向に延在する中心線からなる第２の該搬送基準位置と、該中心線によって該搬送幅方向に二分される二つの領域のうちの他方の領域における該搬送幅方向の中心を通って用紙の搬送方向に延在する中心線からなる第３の該搬送基準位置とからなり、最大幅を有するロール紙はその幅方向の中心位置が第１の搬送基準位置に対応するようロール紙収容ユニットにセットされ、該小さな幅を有する２個のロール紙は各々の幅方向の中心位置がそれぞれ第２及び第３の搬送基準位置に対応するようロール紙収容ユニットにセットされる、ことが好ましい。
【００１１】
【発明の実施の形態】
以下、本発明に従って構成された画像形成装置の好適な実施の形態を、添付図面を参照して更に詳細に説明する。
【００１２】
図１を参照して、全体を番号１００で示す静電複写機は、ほぼ直方体をなす複写機本体１０２を備えている。複写機本体１０２の上端には原稿搬送装置１０が備えられている。複写機本体１０２内の上端部であって、原稿搬送装置１０の直下方位置には密着型イメージセンサ１０４が配設され、密着型イメージセンサ１０４の下方には、画像形成手段１０６が配設されている。画像形成手段１０６は、感光体ドラム１０８を備えている。感光体ドラム１０８は、図示しない駆動手段によって図１において反時計方向に回転駆動される。感光体ドラム１０８の周囲には、感光体ドラム１０８の表面を一様に帯電させるメインチャージャ１１０、密着型イメージセンサ１０４によって読み取られた原稿の画像を感光体ドラム１０８の表面に照射して静電潜像化するためのＬＥＤプリントヘッド１１２、感光体ドラム１０８の表面に形成された静電潜像をトナー像に現像するための現像装置１１４、感光体ドラム１０８の表面に形成されたトナー像を普通紙等の用紙に転写するための転写装置１１６、感光体ドラム１０８の表面に残留するトナーを払拭して回収するためのクリーニング装置１１８等が配設されている。感光体ドラム１０８及び感光体ドラム１０８の周囲に配設された上記各装置類は、画像形成手段１０６を構成する。
【００１３】
複写機本体１０２内の下方位置には、後述するロール紙収容ユニット２００、３００及び４００と、ロール紙収容ユニット２００、３００及び４００に収容された用紙を画像形成手段１０６の転写領域に搬送するための用紙搬送路１２２が配設されている。複写機本体１０２内の上段に装着されたロール紙収容ユニット２００と用紙搬送路１２２との間には給紙路１２４が配設され、給紙路１２４には給紙ローラ１２６が配設されている。複写機本体１０２内の中段に装着されたロール紙収容ユニット３００と用紙搬送路１２２との間には給紙路１２８が配設され、給紙路１２８には給紙ローラ１３０が配設されている。複写機本体１０２内の下段に装着されたロール紙収容ユニット４００と用紙搬送路１２２との間には給紙路１３２が配設され、給紙路１３２には給紙ローラ１３４が配設されている。
【００１４】
用紙搬送路１２２には、用紙搬送路１２２に沿って、用紙搬送ローラ１３６、切断手段であるカッタ１３８、レジストローラ１４０及び転写前ローラ１４２が、上記した順序で上流から下流に向かって配設されている。上記各給紙ローラ１２６、１３０及び１３４、用紙搬送ローラ１３６、レジストローラ１４０及び転写前ローラ１４２などは、後述する各ロール紙から繰り出された用紙を用紙搬送路１２２に沿って搬送する搬送手段を構成する。カッタ１３８は、搬送される用紙を搬送方向に直交する方向に切断するよう構成されているが、カッタ１３８それ自体の構成は公知の構成を利用することでよい。用紙搬送路１２２の、用紙搬送ローラ１３６の上流側には、搬送される用紙を検知する用紙検知手段、実施形態においては用紙検知センサ（搬送前）１３６Ｓが配設され、用紙搬送路１２２の、レジストローラ１４０の上流側には、搬送される用紙を検知する用紙検知手段、実施形態においては用紙検知センサ（レジスト前）１４０Ｓが配設されている。
【００１５】
図８に示されているように、用紙検知センサ（搬送前）１３６Ｓ及び用紙検知センサ（レジスト前）１４０Ｓは、それぞれ、後述する搬送基準位置Ｌ１に沿って搬送される用紙を検知することができる第１の用紙検知センサ（搬送前）１３６ＳＡ及び第１の用紙検知センサ（レジスト前）１４０ＳＡと、搬送基準位置Ｌ２に沿って搬送される用紙を検知することができる第２の用紙検知センサ（搬送前）１３６ＳＢ及び第２の用紙検知センサ（レジスト前）１４０ＳＢとを備えている。搬送基準位置ＬＣに沿って搬送される用紙は、第１の用紙検知センサ（搬送前）１３６ＳＡ及び第２の用紙検知センサ（搬送前）１３６ＳＢのいずれか、及び第１の用紙検知センサ（レジスト前）１４０ＳＡ及び第２の用紙検知センサ（レジスト前）１４０ＳＢのいずれかで検知することができる。なお、上記給紙路１２４、１２８及び１３２には、それぞれ図示しないロール紙検知手段、実施形態においてはロール紙検知センサが配設されている。給紙路１２４に配設されたロール紙検知センサは、先に説明した用紙検知センサと同様に、第１のロール紙検知センサ及び第２のロール紙検知センサとを備えている。
【００１６】
図１と共に図９を参照して、装置本体１０２内には図示しない電動モータである給紙モータ及びカッタモータが配設されている。カッタ１３８は、図示しない電磁クラッチ、略称するとカッタクラッチを含む動力伝達機構を介してカッタモータに駆動連結されている。カッタクラッチがＯＮ（接続）させられると、カッタ１３８が作動して用紙を切断し、カッタクラッチがＯＦＦ（遮断）の状態では、カッタ１３８はホームポジションに位置付けられて用紙搬送路１２２を搬送される用紙が切断されることはない。レジストローラ１４０は、図示しない電磁クラッチ、略称するとレジストクラッチを含む動力伝達機構を介して給紙モータに駆動連結されている。レジストクラッチがＯＮ（接続）させられると、レジストローラ１４０は駆動され、レジストクラッチがＯＦＦ（遮断）の状態では、レジストローラ１４０は停止状態とされる。転写前ローラ１４２は、図示しない電磁クラッチ、略称すると転写前クラッチを含む動力伝達機構を介して給紙モータに駆動連結されている。転写前クラッチがＯＮ（接続）させられると、転写前ローラ１４２は駆動され、転写前クラッチがＯＦＦ（遮断）の状態では、転写前ローラ１４２は停止状態とされる。
【００１７】
転写装置１１６の下流側には、転写装置１１６によってトナー像が転写された用紙を搬送するための用紙搬送路１４４が備えられ、用紙搬送路１４４の下流位置には定着装置１４６、排出ローラ１４８が備えられている。複写機本体１０２の前面１０２ａ（図１において右端面）には、前カバー１５０が配設されている。前カバー１５０と複写機本体１０２の前面１０２ａとの間には、排出ローラ１４８によって排出された用紙を収容するためのポケット１５２が形成されている。複写機本体１０２の上端面には原稿搬送路１２が形成され、原稿搬送路１２の上流端部には原稿載置テーブル１５４が複写機本体１０２から張り出すよう配設されている。
【００１８】
原稿搬送装置１０によって後述するとおりにして原稿搬送路１２を搬送される原稿の画像は、密着型イメージセンサ１０４によって読み取られる。密着型イメージセンサ１０４によって読み取られた画像は、画像形成手段１０６においてトナー像化された後、ロール紙収容ユニット２００、３００又は４００のいずれかから搬送された用紙に転写される。用紙に転写されたトナー像は定着装置１４６において定着、記録され、排出ローラ１４８によってポケット１５２に排出される。なお、ロール紙収容ユニット２００、３００又は４００のいずれかから搬送される用紙はカッタにより適宜のタイミングで所定の長さに切断される。概ね以上のとおりにして複写機１００による複写動作が遂行され、原稿の画像が記録された複写物が生成される。
【００１９】
図１〜図４を参照して、上段に装着されたロール紙収容ユニット２００は、複写機本体１０２に対し引き出し可能に装着される収容枠体２０２と、収容枠体２０２に相互に同軸上に並列して配設されかつ相互に独立して回転自在に配設された第１及び第２のロール紙ユニット２０４及び２０６と、第１及び第２のロール紙ユニット２０４及び２０６を駆動する駆動機構２０８とを備えている。収容枠体２０２は、ほぼ矩形の底壁２０２ａと、底壁２０２ａの両側縁から直立する両側壁２０２ｂと、底壁２０２ａの前縁から直立する前壁２０２ｃとを備えている。収容枠体２０２と複写機本体１０２との間には、適宜の図示しないレール手段が配設されている。収容枠体２０２は、前カバー１５０を開き、複写機本体１０２の前面１０２ａに配設された図示しないカバーを開いた状態で、レール手段に沿って複写機本体１０２の前面１０２ａの手前側（図２及び図３において矢印Ｆで示す方向）に引き出すことができ、また複写機本体１０２の前面１０２ａから複写機本体１０２内に向かって逆方向に（図２及び図３において矢印Ｒで示す方向）挿入することができる。収容枠体２０２は、複写機本体１０２内に挿入されると、図示しない適宜のロック手段により解除自在にロックされ、所定の装着位置に装着される。
【００２０】
第１のロール紙ユニット２０４は、第１のロール本体２１０と、第１のロール本体２１０に巻かれた第１のロール紙２１２とを備えている。収容枠体２０２の引き出し及び挿入方向におけるほぼ中央位置に配置された第１のロール本体２１０は、第１のロール紙２１２が巻かれた図示しない円筒芯部材と、円筒芯部材の両端部にそれぞれ離脱自在に一体に装着されたロールフランジとからなる。ロールフランジの各々は、第１の被駆動ギヤ（外歯ギヤ）２１４と、第１の被駆動ギヤ２１４の軸方向片側から軸方向の一方に延び出す図示しない係止爪部材と、第１の被駆動ギヤ２１４の軸方向他側に一体に形成された円筒部２１６とを備えている。円筒部２１６の外径は第１の被駆動ギヤ２１４の外径よりも大きく形成されている。ロールフランジの各々は、係止爪部材を円筒芯部材の、対応する端部内に挿入することにより円筒芯部材に対し離脱自在に一体に装着される。ロールフランジの各々の、第１の被駆動ギヤ２１４及び円筒部２１６は、円筒芯部材の軸方向外側に位置付けられる。収容枠体２０２の底壁２０２ａには一対の受け台２１８が配設され、受け台２１８の各々には受けローラ２１８ａが回転自在に配設されている。第１のロール紙ユニット２０４は、ロールフランジの各々の円筒部２１６が受けローラ２１８ａを介して受け台２１８の各々に回転自在に支持される。受け台２１８の各々には、対応するロールフランジの円筒部２１６の軸方向外側への移動を規制する図示しない規制部が配設され、第１のロール紙ユニット２０４の軸方向外側への移動が規制されるよう構成されている。このような基本的構成は、例えば、特開２００２−３５６２５３号公報に開示されている。
【００２１】
第２のロール紙ユニット２０６及びその支持構成は、第１のロール紙ユニット２０４及びその支持構成と実質的に同じである。すなわち、収容枠体２０２の引き出し及び挿入方向におけるほぼ中央位置に配置された第２のロール紙ユニット２０６は、第２のロール本体２２０と、第２のロール本体２２０に巻かれた第２のロール紙２２２とを備えている。第２のロール本体２２０は、第２のロール紙２２２が巻かれた図示しない円筒芯部材と、円筒芯部材の両端部にそれぞれ離脱自在に一体に装着されたロールフランジとからなる。ロールフランジの各々は、第２の被駆動ギヤ（外歯ギヤ）２２４と、第１の被駆動ギヤ２２４の軸方向片側から軸方向の一方に延び出す図示しない係止爪部材と、第２の被駆動ギヤ２２４の軸方向他側に一体に形成された円筒部２２６とを備えている。円筒部２２６の外径は第２の被駆動ギヤ２２４の外径よりも大きく形成されている。ロールフランジの各々は、係止爪部材を円筒芯部材の、対応する端部内に挿入することにより円筒芯部材に対し離脱自在に一体に装着される。ロールフランジの各々の、第２の被駆動ギヤ２２４及び円筒部２２６は、円筒芯部材の軸方向外側に位置付けられる。収容枠体２０２の底壁２０２ａには一対の受け台２２８が配設され、受け台２２８の各々には受けローラ２２８ａが回転自在に配設されている。第２のロール紙ユニット２０６は、ロールフランジの各々の円筒部２２６が受けローラ２２８ａを介して受け台２２８の各々に回転自在に支持される。受け台２２８の各々には、対応するロールフランジの円筒部２２６の軸方向外側への移動を規制する図示しない規制部が配設され、第２のロール紙ユニット２０６の軸方向外側への移動が規制されるよう構成されている。第１のロール紙ユニット２０４及び第２のロール紙ユニット２０６は共通の軸線上においてそれぞれ対応する受け台２２８に回転自在に支持される。
【００２２】
駆動機構２０８は、収容枠体２０２に回転自在に支持された第１及び第２の駆動軸２３０及び２３２を備えている。第１の駆動軸２３０は、収容枠体２０２の片方の側壁２０２ｂ（図２において右側の側壁２０２ｂ）と、第１のロール紙ユニット２０４の片方の受け台２１８（図２において左側の受け台２１８）との間を延在するよう、片方の側壁２０２ｂと片方の受け台２１８に回転自在に支持されている。第１の駆動軸２３０の一端部は片方の側壁２０２ｂから側外方に延び出し、延び出した一端部には第１の入力ギヤ２３４が相対回転自在に配設されている。第１の入力ギヤ２３４と第１の駆動軸２３０との間には第１の電磁クラッチ手段、実施形態においては第１の電磁クラッチ２３５が配設されている。第１の駆動軸２３０の両端部の近傍位置にはそれぞれ第１の駆動ギヤ２３６が一体に配設され、第１の駆動ギヤ２３６の各々は、それぞれ第１の中間ギヤ２３８を介して、第１のロール紙ユニット２０４の第１の被駆動ギヤ２１４の各々に噛み合わされている。第１の中間ギヤ２３８の各々は、それぞれ対応する受け台２１８に回転自在に支持されている。
【００２３】
第２の駆動軸２３２は、収容枠体２０２の側壁２０２ｂ間を延在するよう、側壁２０２ｂの各々に回転自在に支持されている。第２の駆動軸２３２の一端部は片方の側壁２０２ｂから側外方に延び出し、延び出した一端部には第２の入力ギヤ２４０が相対回転自在に配設されている。第２の入力ギヤ２４０と第２の駆動軸２３２との間には第２の電磁クラッチ手段、実施形態においては第２の電磁クラッチ２４２が配設されている。第２の駆動軸２３２の両端部の近傍位置にはそれぞれ第２の駆動ギヤ２４４が一体に配設され、第２の駆動ギヤ２４４の各々は、それぞれ第２の中間ギヤ２４６を介して、第２のロール紙ユニット２０６の第２の被駆動ギヤ２２４の各々に噛み合わされている。第２の中間ギヤ２４６の各々は、それぞれ対応する受け台２２８に回転自在に支持されている。
【００２４】
収容枠体２０２に配設された上記各回転体の軸線は相互に平行である。第１及び第２の駆動軸２３０及び２３２は、収容枠体２０２内の後方領域（複写機本体１０２に対する挿入方向の前方領域）において、該挿入方向に間隔をおいて配設されている。第１及び第２の中間ギヤ２３８及び２４６は、収容枠体２０２内の後方領域（複写機本体１０２に対する挿入方向の前方領域）においてそれぞれ第１及び第２の被駆動ギヤ２１４及び２２４に噛み合うよう配設され、第１の駆動軸２３０は、第１の中間ギヤ２３８の下方を延在するよう配設され、第２の駆動軸２３２は、第１及び第２の中間ギヤ２３８及び２４６の下方を延在するよう配設されている。第１及び第２の入力ギヤ２３４及び２４０は相互に実質的に同じ形状及び大きさを有している。第１及び第２の駆動ギヤ２３６及び２４４は相互に実質的に同じ形状及び大きさを有している。第１及び第２の中間ギヤ２３８及び２４６は相互に実質的に同じ形状及び大きさを有しかつ共通の軸線上に配置されている。第１及び第２の被駆動ギヤ２１４及び２２４は相互に実質的に同じ形状及び大きさを有している。
【００２５】
収容枠体２０２には、第１及び第２の入力ギヤ２３４及び２４０に噛み合わされた１個の主入力ギヤ２４８が配設されている。主入力ギヤ２４８は側壁２０２ｂの外側に回転自在に支持されている。装置本体１０２には正逆回転可能な駆動源である図示しない電動モータ、略称するとロール紙モータに、図示しない動力伝達機構を介して駆動連結された出力ギヤ２５０が回転自在に配設されている。主入力ギヤ２４８と第１及び第２の中間ギヤ２３８及び２４６とは相互に実質的に同じ形状及び大きさを有しかつ共通の軸線上に配置されている。収容枠体２０２が装置本体１０２に装着されると、主入力ギヤ２４８が出力ギヤ２５０に噛み合わされる。その結果、第１及び第２のロール紙ユニット２０４及び２０６を相互に独立して回転駆動することができる。すなわち、図示しないロール紙モータが正転又は逆転駆動された状態で、第１の電磁クラッチ２３５及び／又は第２の電磁クラッチ２４２がＯＦＦ（遮断）のときは、第１の駆動軸２３０及び／又は第２の駆動軸２３２に駆動力は伝達されない。また、第１の電磁クラッチ２３５及び／又は第２の電磁クラッチ２４２がＯＮ（接続）されると、第１の駆動軸２３０及び／又は第２の駆動軸２３２に駆動力が伝達される。第１のロール紙２１２及び／又は第２のロール紙２２２は同じ方向に正転駆動又は逆転駆動させられる。
【００２６】
ロール紙収容ユニット２００における第１のロール紙ユニット２０４の第１のロール紙２１２は、複写機１００において使用可能な用紙の最大幅（Ａ０の幅８４１ｍｍ）よりも小さな幅（Ａ２の幅４２０ｍｍ）を有し、第２のロール紙２２２は、最大幅よりも小さな幅（Ａ３の幅２９７ｍｍ）を有している。第１のロール紙２１２は、カッタ１３８によりＡ３（搬送方向がＡ３の幅方向と一致）に切断され、第２のロール紙２２２は、カッタ１３８によりＡ４（搬送方向がＡ４の幅方向と一致）に切断される。該小さな幅を有する第１のロール紙２１２及び第２のロール紙２２２は相互に独立して駆動及び停止可能であるので、相互に幅方向に並列して給紙可能である。
【００２７】
図１及び図５を参照して、給紙路１２４に配設された給紙ローラ１２６は、第１及び第２の駆動軸２５２及び２５４を備えている。第１及び第２の駆動軸２５２及び２５４は、複写機本体１０２の幅方向（図１において紙面の表裏方向）に間隔をおいて配置された直立壁２５６間を平行に延在するよう直立壁２５６の各々に回転自在に支持されている。第１及び第２の駆動軸２５２及び２５４の一端部は、それぞれ片方の直立壁２５６の外側に延び出している。第１の駆動軸２５２の該一端部には第１の被駆動ギヤ２５８が相対回転自在に配設され、第１の被駆動ギヤ２５８と第１の駆動軸２５２との間には第１の電磁クラッチ手段、実施形態においては第１の電磁クラッチ２６０が配設されている。第２の駆動軸２５４の該一端部には第２の被駆動ギヤ２６２が相対回転自在に配設され、第２の被駆動ギヤ２６２と第２の駆動軸２５４との間には第２の電磁クラッチ手段、実施形態においては第２の電磁クラッチ２６４が配設されている。第１及び第２の被駆動ギヤ２５８及び２６２は相互に噛み合わされている。第１の被駆動ギヤ２５８は、複写機本体１０２に配設された入力ギヤ２６６に噛み合わされ、入力ギヤ２６６及び図示しない動力伝達機構を介して、駆動源である図示しない電動モータ、略称すると給紙モータに駆動連結されている。
【００２８】
第１及び第２の駆動軸２５２及び２５４の軸方向の中央を境界とする軸方向の片側領域には、第１の給紙ローラ１２６Ａが配設され、他側領域には、第２の給紙ローラ１２６Ｂが配設されている。第１の給紙ローラ１２６Ａは、第１の駆動軸２５２に軸方向に間隔をおいて一体に配設された２個の駆動ローラ２５２ａと、第２の駆動軸２５４に軸方向に間隔をおいて相対回転自在に配設されかつそれぞれ対応する駆動ローラ２５２ａに圧接された２個の従動ローラ２５４ａとからなる。従動ローラ２５４ａの各々は軸受部材Ｂｒを介して第２の駆動軸２５４に相対回転自在に支持されている。第２の給紙ローラ１２６Ｂは、第２の駆動軸２５４に軸方向に間隔をおいて一体に配設された２個の駆動ローラ２５４ｂと、第１の駆動軸２５２に軸方向に間隔をおいて相対回転自在に配設されかつそれぞれ対応する駆動ローラ２５４ｂに圧接された２個の従動ローラ２５２ｂとからなる。従動ローラ２５２ｂの各々は軸受部材Ｂｒを介して第１の駆動軸２５２に相対回転自在に支持されている。
【００２９】
以上の構成により、第１及び第２の給紙ローラ１２６Ａ及び１２６Ｂを相互に独立して回転駆動することができる。すなわち、図示しない給紙モータが回転駆動された状態で、第１の電磁クラッチ２６０及び／又は第２の電磁クラッチ２６４がＯＦＦ（遮断）のときは、第１の駆動軸２５２及び／又は第２の駆動軸２５４に駆動力は伝達されない。また、第１の電磁クラッチ２６０及び／又は第２の電磁クラッチ２６４がＯＮ（接続）されると、第１の駆動軸２５２及び／又は第２の駆動軸２５４に駆動力が伝達される。第１の駆動軸２５２に駆動力が伝達されると、第１の給紙ローラ１２６Ａだけが駆動され、第２の駆動軸２５４に駆動力が伝達されると、第２の給紙ローラ１２６Ｂだけが駆動される。第１及び第２の駆動軸２５２及び２５４の両方に駆動力が伝達されると、第１及び第２の給紙ローラ１２６Ａ及び１２６Ｂが共に駆動される。
【００３０】
図１及び図６を参照して、用紙搬送路１２２に配設された用紙搬送ローラ１３６は、上記給紙ローラ１２６と実質的に同じ構成を有している。すなわち、用紙搬送ローラ１３６は、第１及び第２の駆動軸２７２及び２７４を備えている。第１及び第２の駆動軸２７２及び２７４は、複写機本体１０２の幅方向（図１において紙面の表裏方向）に間隔をおいて配置された直立壁２７６間を平行に延在するよう直立壁２７６の各々に回転自在に支持されている。第１及び第２の駆動軸２７２及び２７４の一端部は、それぞれ片方の直立壁２７６の外側に延び出している。第１の駆動軸２７２の該一端部には第１の被駆動ギヤ２７８が相対回転自在に配設され、第１の被駆動ギヤ２７８と第１の駆動軸２７２との間には第１の電磁クラッチ手段、実施形態においては第１の電磁クラッチ２８０が配設されている。第２の駆動軸２７４の該一端部には第２の被駆動ギヤ２８２が相対回転自在に配設され、第２の被駆動ギヤ２８２と第２の駆動軸２７４との間には第２の電磁クラッチ手段、実施形態においては第２の電磁クラッチ２８４が配設されている。第１及び第２の被駆動ギヤ２７８及び２８２は相互に噛み合わされている。第１の被駆動ギヤ２７８は、複写機本体１０２に配設された入力ギヤ２８６に噛み合わされ、入力ギヤ２８６及び図示しない動力伝達機構を介して駆動源である図示しない給紙モータに駆動連結されている。
【００３１】
第１及び第２の駆動軸２７２及び２７４の軸方向の中央を境界とする軸方向の片側領域には、第１の用紙搬送ローラ１３６Ａが配設され、他側領域には、第２の用紙搬送ローラ１３６Ｂが配設されている。第１の用紙搬送ローラ１３６Ａは、第１の駆動軸２７２に軸方向に間隔をおいて一体に配設された２個の駆動ローラ２７２ａと、第２の駆動軸２７４に軸方向に間隔をおいて相対回転自在に配設されかつそれぞれ対応する駆動ローラ２７２ａに圧接された２個の従動ローラ２７４ａとからなる。従動ローラ２７４ａの各々は軸受部材Ｂｒを介して第２の駆動軸２７４に相対回転自在に支持されている。第２の用紙搬送ローラ１３６Ｂは、第２の駆動軸２７４に軸方向に間隔をおいて一体に配設された２個の駆動ローラ２７４ｂと、第１の駆動軸２７２に軸方向に間隔をおいて相対回転自在に配設されかつそれぞれ対応する駆動ローラ２７４ｂに圧接された２個の従動ローラ２７２ｂとからなる。従動ローラ２７２ｂの各々は軸受部材Ｂｒを介して第１の駆動軸２７２に相対回転自在に支持されている。
【００３２】
以上の構成により、第１及び第２の用紙搬送ローラ１３６Ａ及び１３６Ｂを相互に独立して回転駆動することができる。すなわち、図示しない給紙モータが回転駆動された状態で、第１の電磁クラッチ２８０及び／又は第２の電磁クラッチ２８４がＯＦＦ（遮断）のときは、第１の駆動軸２７２及び／又は第２の駆動軸２７４に駆動力は伝達されない。また、第１の電磁クラッチ２８０及び／又は第２の電磁クラッチ２８４がＯＮ（接続）されると、第１の駆動軸２７２及び／又は第２の駆動軸２７４に駆動力が伝達される。第１の駆動軸２７２に駆動力が伝達されると、第１の用紙搬送ローラ１３６Ａだけが駆動され、第２の駆動軸２７４に駆動力が伝達されると、第２の用紙搬送ローラ１３６Ｂだけが駆動される。第１及び第２の駆動軸２７２及び２７４の両方に駆動力が伝達されると、第１及び第２の用紙搬送ローラ１３６Ａ及び１３６Ｂが共に駆動される。
【００３３】
ロール紙３０２を含むロール紙収容ユニット３００及びロール紙４０２を含むロール紙収容ユニット４００は、それぞれ公知の構成を利用することでよいので、説明は省略する。また、給紙路１２８に配設された給紙ローラ１３０及び給紙路１３２に配設された給紙ローラ１３４も、それぞれ公知の構成を利用することでよいので、説明は省略する。
【００３４】
ロール紙収容ユニット３００のロール紙３０２は、複写機１００において使用可能な用紙の最大幅よりも小さな幅（Ａ１の幅５９４ｍｍ）を有している。また、ロール紙収容ユニット４００のロール紙４０２は、最大幅（Ａ０の幅８４１ｍｍ）を有している。
【００３５】
図１及び図７を参照して、上記複写機１００においては、感光体ドラム１０８の転写領域（転写装置１１６に対向する領域）を通過する用紙の搬送幅方向サイズに対応して転写領域における該搬送幅方向の搬送基準位置を複数個設定し、ロール紙は該搬送基準位置に対応してロール紙収容ユニットにセットされる。実施形態において、該搬送基準位置は、転写領域における該搬送幅方向の中心を通って用紙の搬送方向に延在する中心線ＬＣからなる第１の搬送基準位置と、該中心線ＬＣによって該搬送幅方向に二分される二つの領域のうちの片方の領域における該搬送幅方向の中間を通って用紙の搬送方向に延在する直線Ｌ１からなる第２の該搬送基準位置と、該中心線ＬＣによって該搬送幅方向に二分される二つの領域のうちの他方の領域における該搬送幅方向の中間を通って用紙の搬送方向に延在する直線Ｌ２からなる第３の該搬送基準位置とからなる。
【００３６】
最大幅を有する下段のロール紙４０２（Ａ０の幅８４１ｍｍ）及び最大幅を有するロール紙４０２よりも小さな幅を有する中段のロール紙３００（Ａ１の幅５９４ｍｍ）は、各々の幅方向の中心位置が第１の搬送基準位置ＬＣに対応するよう、それぞれロール紙収容ユニット４００及び３００にセットされる。
【００３７】
最大幅を有するロール紙４０２よりも小さな幅を有する上段の第１のロール紙２１２（Ａ２の幅４２０ｍｍ）は、幅方向の中心位置が第２の搬送基準位置Ｌ１に対応するようロール紙収容ユニット２００にセットされる。また、最大幅を有するロール紙４０２よりも小さな幅を有する上段の第２のロール紙２２２（Ａ３の幅２９７ｍｍ）は、幅方向の中心位置が第２の搬送基準位置Ｌ２に対応するようロール紙収容ユニット２００にセットされる。
【００３８】
図９を参照して、複写機本体１０２内には、第１及び第２のロール紙２１２及び２２２から繰り出された用紙の搬送、切断などを制御するコントローラが備えられている。複写機１００全体を制御するコントローラを利用することでよいコントローラは、マイクロコンピュータによって構成されており、制御プログラムに従って演算処理する中央処理装置（ＣＰＵ）、制御プログラムを格納するＲＯＭ、演算結果等を格納する読み書き可能なＲＡＭ、タイマ、カウンタ、入力インターフェース及び出力インターフェースなどを備えている。このように構成されたコントローラの入力インターフェースには、第１及び第２の用紙検知センサ（搬送前）１３６ＳＡ及び１３６ＳＢ、第１及び第２の用紙検知センサ（レジスト前）１４０ＳＡ及び１４０ＳＢ、その他のスイッチ、検出器などからの検出信号が入力され、出力インターフェースから図示しない給紙モータ、第１の電磁クラッチ２６０及び２８０、第２の電磁クラッチ２６４及び２８４、図示しないレジストクラッチ、図示しない転写前クラッチ、図示しないカッタモータ及びカッタクラッチなどに制御信号を出力する。
【００３９】
以下、複写機本体１０２の上段に装着されたロール紙収容ユニット２００における第１及び第２のロール紙２１２及び２２２の、コントローラによる制御について説明する。なお、先に述べたように、第１のロール紙２１２は、カッタ１３８によりＡ３（搬送方向がＡ３の幅方向と一致）に切断され、また第２のロール紙２２２は、カッタ１３８によりＡ４（搬送方向がＡ４の幅方向と一致）に切断される。
【００４０】
図１及び図８〜図１０を参照して、第１及び第２のロール紙２１２及び２２２における用紙の先端は、相互に搬送方向が実質的に同じ位置で、それぞれ第１及び第２の給紙ローラ１２６Ａ及び１２６Ｂにニップされた状態で静止している。なお、図１０において、「Ａ紙」とは、第１のロール紙２１２の用紙を略称し、「Ｂ紙」とは、第２のロール紙２２２の用紙を略称するものである。図１０においてはまた、タイミングチャートの立ち上がった領域はＯＮ、それ以外はＯＦＦを示すものである。複写開始時において、コントローラは給紙モータを駆動した後、第１及び第２の給紙ローラ１２６Ａ及び１２６Ｂの第１及び第２の電磁クラッチ２６０及び２６４をＯＮして、第１及び第２の給紙ローラ１２６Ａ及び１２６Ｂの駆動を開始する（図１０において符号Ｔ０で示されるタイミング位置）。第１及び第２のロール紙２１２及び２２２から用紙が繰り出される（引き出される）。コントローラはまた、カッタモータも駆動する。
【００４１】
第１及び第２のロール紙２１２及び２２２から引き出された用紙の各々の先端が第１及び第２の用紙検知センサ（搬送前）１３６ＳＡ及び１３６ＳＢに達すると、第１及び第２の用紙検知センサ（搬送前）１３６ＳＡ及び１３６ＳＢがそれを検知し、該検知信号はコントローラに送られる。コントローラは該検知信号を受けて、第２の給紙ローラ１２６Ｂの第２の電磁クラッチ２６４をＯＦＦにして、第２の給紙ローラ１２６Ｂの駆動を一時停止させて、第２のロール紙２２２からの用紙の繰り出しを一時停止させると同時に、第１の用紙搬送ローラ１３６Ａの第１の電磁クラッチ２８０をＯＮとして、第１の用紙搬送ローラ１３６Ａの駆動を開始する（図１０において符号Ｔ１で示されるタイミング位置）。第１のロール紙２１２のみから用紙が繰り出される。
【００４２】
コントローラは、第２の給紙ローラ１２６Ｂの駆動を一時停止させてから所定時間経過後、第２の給紙ローラ１２６Ｂの第２の電磁クラッチ２６４をＯＮとして、第２の給紙ローラ１２６Ｂの駆動を再開させると同時に、第２の用紙搬送ローラ１３６Ｂの第２の電磁クラッチ２８４をＯＮとして、第２の用紙搬送ローラ１３６Ｂの駆動を開始する（図１０において符号Ｔ２で示されるタイミング位置）。第１のロール紙２１２の先端が第２のロール紙２２２の先端よりも所定の長さだけ先行して搬送される。先行する第１のロール紙２１２の先端が第１の用紙検知センサ（レジスト前）１４０ＳＡに達すると、第１の用紙検知センサ（レジスト前）１４０ＳＡがそれを検知する（図１０において符号Ｔ３で示されるタイミング位置）。該検知信号はコントローラに送られる。コントローラは該検知信号を受けてから所定時間経過後、第１のロール紙２１２の先端がレジストローラ１４０のニップ部に当接して先端部がたわまされた状態でレジストクラッチをＯＮとして、レジストローラ１４０を駆動させる（図１０において符号Ｔ４で示されるタイミング位置）。第１のロール紙２１２はレジストローラ１４０により搬送される。なお図示はされていないが、コントローラは、レジストクラッチをＯＮさせるの同時に転写前クラッチをＯＮとして転写前ローラ１４２を駆動する。
【００４３】
レジストローラ１４０が駆動を開始されてから所定時間経過後、第１の用紙搬送ローラ１３６Ａの第１の電磁クラッチ２８０をＯＦＦとして、第１の用紙搬送ローラ１３６Ａの駆動を停止すると同時に、第１の給紙ローラ１２６Ａの第１の電磁クラッチ２６０をＯＦＦして、第１の給紙ローラ１２６Ａの駆動も停止する（図１０において符号Ｔ５で示されるタイミング位置）。第１のロール紙２１２からの用紙の繰り出しは停止される。
【００４４】
第２のロール紙２２２の用紙の先端が第２の用紙検知センサ（レジスト前）１４０ＳＢに達すると、第２の用紙検知センサ（レジスト前）１４０ＳＢがそれを検知する。該検知信号はコントローラに送られる。コントローラは該検知信号を受けてから所定時間経過後、第１の用紙搬送ローラ１３６Ａの第１の電磁クラッチ２８０をＯＮとして、第１の用紙搬送ローラ１３６Ａの駆動を再開しかつ、第１の給紙ローラ１２６Ａの第１の電磁クラッチ２６０をＯＮして、第１の給紙ローラ１２６Ａの駆動を再開する（図１０において符号Ｔ６で示されるタイミング位置）と同時に、第２のロール紙２２２の先端がレジストローラ１４０のニップ部に当接して先端部がたわまされた状態でレジストクラッチをＯＮとして、レジストローラ１４０を駆動させる（図１０において符号Ｔ７で示されるタイミング位置）。第１及び第２のロール紙２１２及び２２２は、第１のロール紙２１２の先端が第２のロール紙２２２の先端よりも所定の長さ（Ａ３の幅とＡ４の幅の差）だけ先行させられた状態で、レジストローラ１４０により搬送される。
【００４５】
第１の用紙搬送ローラ１３６Ａ、第１の給紙ローラ１２６Ａ及びレジストローラ１４０が駆動を再開されてから所定時間経過後、コントローラは、第１の用紙搬送ローラ１３６Ａの第１の電磁クラッチ２８０、第２の用紙搬送ローラ１３６Ｂの第２の電磁クラッチ２８４、第１の給紙ローラ１２６Ａの第１の電磁クラッチ２６０及び第２の給紙ローラ１２６Ｂの第２の電磁クラッチ２６４をＯＦＦとして、第１及び第２の用紙搬送ローラ１３６Ａ及び１３６Ｂ、第１及び第２の給紙ローラ１２６Ａ及び１２６Ｂの駆動を停止する（図１０において符号Ｔ８で示されるタイミング位置）。コントローラは、同時にカッタクラッチをＯＮしてカッタ１３８を作動させる。第１及び第２のロール紙２１２及び２２２の用紙が、それぞれ、Ａ３及びＡ４サイズに同時に切断される。この間、レジストローラ１４０は駆動されているが、先に形成されたたわみが前後の引っ張りを吸収する。
【００４６】
カッタ１３８により切断されたＡ３及びＡ４サイズの用紙はレジストローラ１４０により搬送される。Ａ３及びＡ４サイズの用紙の後端が、それぞれ第１及び第２の用紙検知センサ１４０ＳＡ及び１４０ＳＢを通過すると、第１及び第２の用紙検知センサ１４０ＳＡ及び１４０ＳＢが検知する。該検知信号はコントローラに送られる。コントローラは、該検知信号を受けると同時に、第１の用紙搬送ローラ１３６Ａの第１の電磁クラッチ２８０をＯＮとして、第１の用紙搬送ローラ１３６Ａを駆動しかつ、第１の給紙ローラ１２６Ａの第１の電磁クラッチ２６０をＯＮして、第１の給紙ローラ１２６Ａを駆動する（図１０において符号Ｔ９で示されるタイミング位置）。用紙の先端がカッタ１３８の位置にある第１及び第２のロール紙２１２及び２２２の用紙が第１の用紙搬送ローラ１３６Ａ及び第１の給紙ローラ１２６Ａにより搬送を開始される。
【００４７】
Ａ３及びＡ４サイズの用紙の後端が、それぞれ第１及び第２の用紙検知センサ１４０ＳＡ及び１４０ＳＢを通過してから所定時間経過後、コントローラはレジストクラッチをＯＦＦしてレジストローラ１４０の駆動を停止する（図１０において符号Ｔ１０で示されるタイミング位置）。このタイミングは、Ａ３及びＡ４サイズの用紙の後端が、それぞれレジストローラ１４０のニップ部から搬送方向前方に離れたときである。カッタ１３８により切断されたＡ３及びＡ４サイズの１枚目の用紙は転写前ローラ１４２により感光体ドラム１０８に向けて搬送される。第１のロール紙２１２から切断されたＡ３サイズの用紙は、感光体ドラム１０８の転写領域を通過する際、搬送幅方向の中心が、感光体ドラム１０８の搬送基準位置Ｌ１を通過する。また、第２のロール紙２２２から切断されたＡ４サイズの用紙は、感光体ドラム１０８の転写領域を通過する際、搬送幅方向の中心が、感光体ドラム１０８の搬送基準位置Ｌ２を通過する。第１のロール紙２１２から切断されたＡ３サイズの用紙及び第２のロール紙２２２から切断されたＡ４サイズの用紙が、感光体ドラム１０８の転写領域を通過する際、相互に重合することはない。
【００４８】
２枚目以降の用紙の搬送及び切断動作は、２枚目以降の用紙先端の搬送開始位置がカッタ１３８の位置であるだけで、第１及び第２のロール紙２１２及び２２２の用紙が第１の用紙搬送ローラ１３６Ａ及び第１の給紙ローラ１２６Ａにより搬送を開始された以降の基本的動作は、１枚目のそれと実質的に同じであり、また図１０から明らかであるので、更なる説明は省略する。第１及び第２のロール紙２１２及び２２２の用紙の複写が終了した後は、コントローラは、ロール紙モータを逆転させ、上段のロール収容ユニット２００における第１及び第２の電磁クラッチ２３５及び２４２をＯＮして第１及び第２のロール紙２１２及び２２２を逆転させる。第１及び第２のロール紙２１２及び２２２の用紙の先端が上記給紙路１２４に配設された用紙検知センサを通過した時点で、コントローラは第１の及び第２の電磁クラッチ２３５及び２４２をＯＦＦして第１及び第２のロール紙２１２及び２２２の逆転を停止させる。第１及び第２のロール紙２１２及び２２２の先端部は、それぞれ第１及び第２の給紙ローラ１２６Ａ及び１２６Ｂにニップされた状態にある。
【００４９】
中段のロール収容ユニット３００のロール紙３０２及び下段のロール収容ユニット４００のロール紙４０２における用紙の搬送及び切断動作は、公知のとおりでよいので、説明は省略する。中段のロール収容ユニット３００のロール紙３０２及び下段のロール収容ユニット４００のロール紙４０２の用紙が感光体ドラム１０８の転写領域を通過するときには、用紙の各々の幅方向の中心が転写領域の第１の搬送基準位置ＬＣを通るよう、ロール紙３０２及び４０２のセット位置が規定されている。
【００５０】
上記複写機１００において、転写領域を通過する用紙の搬送幅方向サイズに対応して転写領域における該搬送幅方向の搬送基準位置を複数個、実施形態においてはＬＣ、Ｌ１、Ｌ２の３個（３箇所）設定し、ロール紙２１２、２２２、３０２及び４０２は該搬送基準位置に対応してロール紙収容ユニット２００、３００及び４００にセットされている。その結果、上記複写機１００によれば、多様なサイズの用紙に対し複写あるいはプリントが可能であると共に、感光体ドラム１０８における転写領域の幅方向のほぼ全領域にわたって均一な利用を可能にして、作像特性を安定して確保し、感光体ドラム１０８の寿命を長くすることを可能にする。
【００５１】
実施形態においては、該搬送基準位置は、転写領域における該搬送幅方向の中心を通って用紙の搬送方向に延在する中心線ＬＣからなる第１の搬送基準位置と、該中心線ＬＣによって該搬送幅方向に二分される二つの領域のうちの片方の領域における該搬送幅方向の中間を通って用紙の搬送方向に延在する直線Ｌ１からなる第２の該搬送基準位置と、該中心線ＬＣによって該搬送幅方向に二分される二つの領域のうちの他方の領域における該搬送幅方向の中間を通って用紙の搬送方向に延在する直線Ｌ２からなる第３の該搬送基準位置とからなる。最大幅（Ａ０幅）を有するロール紙４０２はその幅方向の中心位置が第１の搬送基準位置に対応するよう下段のロール紙収容ユニット４００にセットされている。また、最大幅よりも小さな幅（Ａ２幅及びＡ４幅）を有する２個のロール紙である第１及び第２のロール紙２１２及び２２２は、各々の幅方向の中心位置がそれぞれ第２の搬送基準位置Ｌ１及び第３の搬送基準位置Ｌ２に対応するよう上段のロール紙収容ユニット２００にセットされている。更にはまた、最大幅よりも小さな幅（Ａ１幅）を有するロール紙３０２は、その幅方向の中心位置がそれぞれ第１の搬送基準位置ＬＣに対応するよう中段のロール紙収容ユニット３００にセットされている。その結果、最大幅（Ａ０幅）を有するロール紙４０２の用紙と、それよりも小さな幅（Ａ１幅）を有するロール紙３０２の用紙は、転写領域において、各々の幅方向中心が上記中心線ＬＣを通り、また、最大幅よりも小さな幅（Ａ２幅及びＡ４幅）を有する第１及び第２のロール紙２１２及び２２２は、転写領域において、各々の幅方向中心が上記直線Ｌ１及びＬ２を通るので、多様なサイズの用紙に対し複写あるいはプリントが可能であると共に、感光体ドラム１０８における転写領域の幅方向のほぼ全領域にわたって均一な利用を可能にして、作像特性を安定して確保し、感光体ドラム１０８の寿命を長くすることを実用的に容易かつ確実に可能にするのである。直線Ｌ１及びＬ２は、それぞれ片方の領域の中間及び他方の領域における中間に配置されるが、該中間とは、片方の領域及び他方の領域の各々における、幅方向の中心及び中心領域を意味するものであり、該中心に対し若干の幅方向範囲を含むものである。
【００５２】
最大幅よりも小さな幅（Ａ２幅及びＡ４幅）を有する第１及び第２のロール紙２１２及び２２２は、相互に同軸上に並列して配設されているので、装置本体１０２のコンパクト化に寄与すると共に、ロール紙の交換頻度を低減することができ、交換作業を容易にすると共に労力の負担を軽減することができる。
【００５３】
最大幅よりも小さな幅（Ａ２幅及びＡ４幅）を有する第１及び第２のロール紙２１２及び２２２は相互に並列給紙可能であるので、同時に複数のサイズの用紙を連続して複写あるいはプリントでき、生産性及び効率の向上を可能にする。もちろん第１及び第２のロール紙２１２及び２２２のいずれか一方のみを給紙することも可能である。また、ポケット１５２に排出された用紙をサイズ別に仕分けることを可能にするので実用的に便利である。
【００５４】
最大幅よりも小さな幅（Ａ２幅及びＡ４幅）を有する第１及び第２のロール紙２１２及び２２２は相互に独立して給紙可能であるので、第１及び第２のロール紙２１２及び２２２の搬送タイミングを自由に決めることができ、任意の制御を可能にするので、使用上きわめて便利である。
【００５５】
最大幅よりも小さな幅（Ａ２幅及びＡ４幅）を有する第１及び第２のロール紙２１２及び２２２から繰り出された用紙が転写領域を通過するときに相互に重合しないよう、第１及び第２のロール紙２１２及び２２２のセット位置が規定されているので、同時の並列給紙を可能にする。また、生産性及び効率の向上を可能にする。また、ポケット１５２に排出された用紙をサイズ別に仕分けることを可能にする。
【００５６】
本発明によれば、用紙を搬送方向に直交する方向に切断するカッタ１３８を１個用意するのみで、用紙を搬送方向に切断するカッタが不要であり、しかも、Ａ０〜Ａ４までの多様なサイズの用紙に対し複写あるいはプリントを可能にするので、用紙の無駄を無くすことができる。
【００５７】
上記実施形態において、第１のロール紙２１２は、カッタ１３８によりＡ３（搬送方向がＡ３の幅方向と一致）に切断され、また第２のロール紙２２２は、カッタ１３８によりＡ４（搬送方向がＡ４の幅方向と一致）に切断されるが、第１のロール紙２１２を、カッタ１３８によりＡ２（搬送方向がＡ２の縦方向と一致）に切断し、また第２のロール紙２２２を、カッタ１３８によりＡ３（搬送方向がＡ３の縦方向と一致）に切断する他の実施形態も、もちろんある。つまり、基本的には、各ロール紙毎に２種類のサイズの用紙に切断することが可能である。
【００５８】
図１１には、第２のロール紙２２２として他のサイズ（Ａ４幅）を有する第２のロール紙２２２を配設した本発明の他の実施形態が示されている。その他の構成は先の実施形態と実質的に同じである。この実施形態においては、第１のロール紙２１２の用紙はカッタ１３８によりＡ３（搬送方向がＡ３の幅方向と一致）に切断され、また第２のロール紙２２２の用紙はカッタ１３８によりＡ４（搬送方向がＡ４の縦方向と一致）に切断され、各用紙の切断後の搬送方向長さは等しいので、相互に同じタイミングで並列給紙、すなわち相互に同じタイミングで搬送、停止、切断動作を行うことができる。その結果、先の実施形態に較べて制御が簡単で並列給紙速度が速くなる。先の実施形態は、図１１に示す実施形態に較べ、Ａ４サイズの処理速度が速い。なお、第１のロール紙２１２の用紙をカッタ１３８によりＡ２（搬送方向がＡ２の縦方向と一致）に切断し、第２のロール紙２２２の用紙をカッタ１３８によりＡ４（搬送方向がＡ４の縦方向と一致）に切断した場合には、各用紙の切断後の搬送方向長さは相違するので、第１及び第２のロール紙２１２及び２２２の各々の搬送、停止、切断動作は、先の実施形態におけるのと基本的に同じようなタイミングで行うことになる。
【００５９】
図１２（ａ）には、図１〜図１０を参照して説明した複写機１００における第２のロール紙２２２（Ａ３幅）のみを中段に配設した実施形態が示されている。つまり、最大幅を有するロール紙４０２よりも小さな幅を有する第１のロール紙２１２と第２のロール紙２２２とは相互に異なった軸上に配設されている。第１のロール紙２１２と第２のロール紙２２２とは、それぞれ相互に独立して給紙される。第１のロール紙２１２を含む上段のロール紙収容ユニット及び第２のロール紙２２２を含む中段のロール紙収容ユニットは、実質的に公知の構成を利用することでよい。下段のロール紙収容ユニット４０２は、先の実施形態と同じ構成である。図１２（ｂ）には、図１１に示す実施形態において、中段に配置された第２のロール紙２２２のサイズＡ３幅をＡ４幅に置き換えた実施形態が示されている。その他の構成は、図１２（ａ）に示す構成と同じである。
【００６０】
図１２（ａ）及び図１２（ｂ）に示す実施形態において、該搬送基準位置は、転写領域における該搬送幅方向の中心を通って用紙の搬送方向に延在する中心線ＬＣからなる第１の搬送基準位置と、該中心線ＬＣによって該搬送幅方向に二分される二つの領域のうちの片方の領域における該搬送幅方向の中心を通って用紙の搬送方向に延在する中心線Ｌ１からなる第２の該搬送基準位置と、該中心線ＬＣによって該搬送幅方向に二分される二つの領域のうちの他方の領域における該搬送幅方向の中心を通って用紙の搬送方向に延在する中心線Ｌ２からなる第３の該搬送基準位置とからなる。最大幅（Ａ０幅）を有するロール紙はその幅方向の中心位置が第１の搬送基準位置ＬＣに対応するよう下段のロール紙収容ユニットにセットされ、該小さな幅（Ａ２幅、及び、Ａ３幅又はＡ４幅）を有する２個のロール紙は各々の幅方向の中心位置が、それぞれ第２及び第３の搬送基準位置Ｌ１及びＬ２に対応するよう上段及び中段のロール紙収容ユニットにそれぞれセットされる。このような構成は、従来装置の基本的構成を利用することにより実用化が可能である。並列給紙はコントローラによる制御で容易に対応可能である。
【００６１】
図１３（ａ）には、図１〜図１０を参照して説明した複写機１００における第１及び第２のロール紙２１２及び２２２の幅方向の配置を逆にして配置したロール紙収容ユニットを中段に配設した実施形態が示されている。その他の構成は図１〜図１０を参照して説明した複写機１００と実質的に同じである。図１３（ｂ）には、図１３（ａ）に示す実施形態における第２のロール紙２２２として他のサイズ（Ａ４幅）を有する第２のロール紙２２２を配設した本発明の他の実施形態が示されている。このような構成は、同じサイズの用紙の並列給紙を可能にし、生産性が更に向上する。
【００６２】
図１１、図１２（ａ）、図１２（ｂ）、図１３（ａ）、図１３（ｂ）に示す他の実施形態は、図１１〜図１０を参照して説明した複写機１００が備えている、特徴ある共通の基本的構成を備えており、共通の基本的構成については、実質的に同じ作用効果を得ることができる。
【００６３】
【発明の効果】
本発明による画像形成装置によれば、多様なサイズの用紙に対し複写あるいはプリントが可能であると共に、感光体ドラムにおける転写領域の幅方向のほぼ全領域にわたって均一な利用を可能にして、作像特性を安定して確保し、感光体ドラムの寿命を長くすることを可能にする。また、生産性及び効率の向上を可能にする。更にはまた、排出された用紙をサイズ別に仕分けることを可能にする。更にはまた、ロール紙の交換頻度を低減することができ、交換作業を容易にすると共に労力の負担を軽減することができる。
【図面の簡単な説明】
【図１】本発明に従って構成された複写機の好適実施形態を示す切断面概略図。
【図２】図１に示す複写機の上段に装着されているロール収容ユニットを図１において左方から見た後面図。
【図３】図２に示すロール収容ユニットを図２において右方から見た側面図。
【図４】図２のＡ−Ａ矢視断面図。
【図５】図１に示す複写機の上段に装着されているロール収容ユニットに接続された給紙路に備えられている給紙ローラを上流側から見た断面図。
【図６】図１に示す複写機の用紙搬送路に備えられている用紙搬送ローラを上流側から見た断面図。
【図７】図１に示す複写機の感光体ドラムの転写領域における搬送基準位置と、図１に示す複写機の上段、中段及び下段にそれぞれ装着されているロール収容ユニットにおけるロール紙の搬送基準位置との位置関係を簡略的に示す配置図。
【図８】図１に示す複写機の上段に装着されているロール収容ユニットにおける第１及び第２ロール紙から感光体ドラムまでの搬送経路に配置されたローラ類及びカッタの配置と、第１及び第２ロール紙から繰り出された用紙の位置との関係を簡略的に示す配置図。
【図９】図１に示す複写機に備えられた第１及び第２のロール紙から繰り出された用紙の搬送、切断などを制御する制御関連構成を示す簡略図。
【図１０】図９に示すコントローラによる制御のタイミングを示すタイミングチャート。
【図１１】図１に示す複写機に備えられた第２のロール紙として他のサイズの第２のロール紙を配設した本発明の他の実施形態を示す配置図であって、図７に相当する配置図。
【図１２】（ａ）ロール紙の配置の更に他の実施形態を示す配置図であって、ほぼ図７に相当する配置図。
（ｂ）図１２（ａ）に示すロール紙の配置において、中段のロール紙として他のサイズのロール紙を配設した本発明の更に他の実施形態を示す配置図であって、図１２（ａ）に相当する配置図。
【図１３】（ａ）ロール紙の配置の更に他の実施形態を示す配置図であって、ほぼ図７に相当する配置図。
（ｂ）図１３（ａ）に示すロール紙の配置において、上段及び中段のロール紙として他のサイズのロール紙を配設した本発明の更に他の実施形態を示す配置図であって、図１３（ａ）に相当する配置図。
【符号の説明】
１００  複写機
１０２  複写機本体
１０６  画像形成手段
１０８  感光体ドラム
１２６、１２８、１３４  給紙ローラ
１２４、１２８、１３２  給紙路
１２２  用紙搬送路
１３６  用紙搬送ローラ
１３８  カッタ
１４０  レジストローラ
１４２  転写ローラ
２００  ロール紙収容ユニット（上段）
２１２  第１のロール紙
２２２  第２のロール紙
３００  ロール紙収容ユニット（中段）
４００  ロール紙収容ユニット（下段）
【図１】
2004351753.tif 000003
【図２】
2004351753.tif 000004
【図３】
2004351753.tif 000005
【図４】
2004351753.tif 000006
【図５】
2004351753.tif 000007
【図６】
2004351753.tif 000008
【図７】
2004351753.tif 000009
【図８】
2004351753.tif 000010
【図９】
2004351753.tif 000011
【図１０】
2004351753.tif 000012
【図１１】
2004351753.tif 000013
【図１２】
2004351753.tif 000014
【図１３】
2004351753.tif 000015